(57)【要約】【課題】任意の機能について仕様の異なる親機と子機が組み合わされる場合でも、制御装置においてカールコードレス電話機の構成や機能を適切に管理できるようにする。【解決手段】カールコードレス電話機３の親機１において、子機２から通知された所定の機能に関する仕様を示す子機仕様情報と、これに対応する当該親機の機能に関する親機仕様情報とからカールコードレス電話機３で提供される機能の仕様を示す電話機仕様情報を決定し、この電話機仕様情報を制御装置４へ通知する。【選択図】  図１
2006238342.tif 000002
【特許請求の範囲】
【請求項１】
複数の電話機を接続するとともに通話回線を収容する制御装置を有し、前記電話機として子機と親機とが無線伝送路を介して接続されるカールコードレス電話機を備え、前記制御装置により、前記電話機から通知された各種情報に基づき前記電話機を管理する電話システムであって、
前記子機は、当該子機が持つ所定の機能に関する仕様を示す子機仕様情報を前記親機へ通知する子機制御部を備え、
前記親機は、前記子機から通知された前記子機仕様情報と、前記機能に対応する当該親機が持つ機能に関する仕様を示す親機仕様情報とから、当該カールコードレス電話機で提供される機能の仕様を示す電話機仕様情報を決定し、前記電話機仕様情報を前記制御装置へ通知する親機制御部を備える
ことを特徴とする電話システム。
【請求項２】
請求項１に記載の電話システムにおいて、
前記子機制御部は、当該子機を前記親機へ登録する子機登録処理の際に、前記子機仕様情報を前記親機へ通知することを特徴とする電話システム。
【請求項３】
複数の電話機を接続するとともに通話回線を収容する制御装置を有し、この制御装置により、前記電話機から通知された各種情報に基づき前記電話機を管理する電話システムで、前記電話機として用いられ、子機と親機とが無線伝送路を介して接続されるカールコードレス電話機であって、
前記子機は、当該子機が持つ所定の機能に関する仕様を示す子機仕様情報を前記親機へ通知する子機制御部を備え、
前記親機は、前記子機から通知された前記子機仕様情報と、前記機能に対応する当該親機が持つ機能に関する仕様を示す親機仕様情報とから、当該カールコードレス電話機で提供される機能の仕様を示す電話機仕様情報を決定し、前記電話機仕様情報を前記制御装置へ通知する親機制御部を備える
ことを特徴とするカールコードレス電話機。
【請求項４】
請求項３に記載のカールコードレス電話機において、
前記子機制御部は、当該子機を前記親機へ登録する子機登録処理の際に、前記子機仕様情報を前記親機へ通知することを特徴とするカールコードレス電話機。
【発明の詳細な説明】
【技術分野】
【０００１】
本発明は、電話機制御技術に関し、特にカールコードレス電話機を含む複数の電話機により通話回線を共用する電話システムで、カールコードレス電話機で提供される機能に関する仕様を制御装置で管理する電話機仕様管理技術に関する。
【背景技術】
【０００２】
複数の電話機と、これら電話機を接続するとともに１つ以上の通話回線を収容する制御装置とからなる電話システムでは、制御装置で各電話機の呼制御を行うことによりこれら電話機で通話回線の共用を実現している。
例えば、電話システムを代表するボタン電話装置では、上記制御装置に相当する主装置に収容されたアナログ電話回線やＩＰ電話回線などの通話回線を主装置に接続された複数の内線電話機で共用するものとなっている。
【０００３】
この種の電話システムでは、電話機としてカールコードレス電話機が用いられる場合がある。カールコードレス電話機は、呼制御機能を持つ親機と通話機能を持つ子機とが無線伝送路を介して接続される電話機であり、電話システムでは親機が内線伝送路を介して制御装置と接続される（例えば、特許文献１，２など参照）。
このようなカールコードレス電話機では、親機や子機に設けられた機能の仕様が変更される場合がある。
【０００４】
例えば、汎用無線インターフェースであるBluetooth（非特許文献１など参照）では、Bluetoothバージョン1.1からBluetoothバージョン1.2への規格変更で、無線ＬＡＮとの相互干渉を軽減するアダプティブ・フリクエンシー・ホッピング（AFH:Adaptive Frequency Hopping）や、ノイズ環境下でロスしたパケットを再送信するエラー訂正機能（eSCO:Enhanced Synchronous Connection Oriented）の追加が行われた。
したがって、無線インターフェースとしてBluetoothを用いるカールコードレス電話機において、親機や子機に搭載されるＲＦモジュールの仕様を変更すれば、親機に対する子機接続台数の制限緩和や音声データのビットレートを64Kbpsから100Kbpsに引き上げた音質向上などの新たな機能を提供できる。
【０００５】
なお、出願人は、本明細書に記載した先行技術文献情報で特定される先行技術文献以外には、本発明に関連する先行技術文献を出願時までに発見するには至らなかった。
【特許文献１】特開平８−１６３６１６号公報
【特許文献２】特開平３−２１７１３１号公報
【非特許文献１】www.bluetooth.org/spec/
【発明の開示】
【発明が解決しようとする課題】
【０００６】
従来、電話システムでは、制御装置において各電話機の構成や機能を適切に管理するため、例えば電話機を制御装置へ接続する際、その電話機の機能を示す電話機情報を当該電話機から取得するものとなっている。したがって、コードレス電話機でも親機や子機の機能が変更された場合、これに応じた電話機情報を制御装置へ通知する必要がある。
一方、機能変更において、その変更前後の機能間で互換性が補償されている場合、仕様の異なる機能が組み合わされて使用されることになる。したがって、カールコードレス電話機でも、例えば旧機種に対する保守を新機種で行った場合、機能の異なる親機と子機とが組み合わされて使用される可能性があり、親機と子機の組合せによっては、コードレス電話機全体として実現される機能も異なる。
【０００７】
しかしながら、前述した従来技術では、カールコードレス電話機の場合、親機と子機の仕様は一致することを前提として、予め親機に登録されている電話機情報を制御装置へ通知するものとなっているため、仕様の異なる親機と子機の組合せで変化する機能を示す適切な電話機情報を制御装置へ通知できず、制御装置においてカールコードレス電話機の構成や機能を適切に管理できないという問題点があった。
本発明はこのような課題を解決するためのものであり、任意の機能について仕様の異なる親機と子機が組み合わされる場合でも、制御装置においてカールコードレス電話機の機能を適切に管理できる電話システムおよびカールコードレス電話機を提供することを目的としている。
【課題を解決するための手段】
【０００８】
このような目的を達成するために、本発明にかかる電話システムは、複数の電話機を接続するとともに通話回線を収容する制御装置を有し、電話機として子機と親機とが無線伝送路を介して接続されるカールコードレス電話機を備え、制御装置により、電話機から通知された各種情報に基づき電話機を管理する電話システムであって、子機は、当該子機が持つ所定の機能に関する仕様を示す子機仕様情報を親機へ通知する子機制御部を備え、親機は、子機から通知された子機仕様情報と、機能に対応する当該親機が持つ機能に関する仕様を示す親機仕様情報とから、当該カールコードレス電話機で提供される機能の仕様を示す電話機仕様情報を決定し、電話機仕様情報を制御装置へ通知する親機制御部を備えている。
【０００９】
この際、子機制御部で、当該子機を親機へ登録する子機登録処理の際に、子機仕様情報を親機へ通知するようにしてもよい。
【００１０】
また、本発明にかかるカールコードレス電話機は、複数の電話機を接続するとともに通話回線を収容する制御装置を有し、この制御装置により、電話機から通知された各種情報に基づき電話機を管理する電話システムで、電話機として用いられ、子機と親機とが無線伝送路を介して接続されるカールコードレス電話機であって、子機は、当該子機が持つ所定の機能に関する仕様を示す子機仕様情報を親機へ通知する子機制御部を備え、親機は、子機から通知された子機仕様情報と、機能に対応する当該親機が持つ機能に関する仕様を示す親機仕様情報とから、当該カールコードレス電話機で提供される機能の仕様を示す電話機仕様情報を決定し、電話機仕様情報を制御装置へ通知する親機制御部を備えている。
【００１１】
この際、子機制御部で、当該子機を親機へ登録する子機登録処理の際に、子機仕様情報を親機へ通知するようにしてもよい。
【発明の効果】
【００１２】
本発明によれば、カールコードレス電話機の子機により、当該子機が持つ所定の機能に関する仕様を示す子機仕様情報が親機へ通知され、親機により、子機から通知された子機仕様情報と上記機能に対応する当該親機が持つ機能に関する仕様を示す親機仕様情報とから、当該カールコードレス電話機で提供される機能の仕様を示す電話機仕様情報が決定されて制御装置へ通知されるため、任意の機能について仕様が異なる親機と子機とで構成されるカールコードレス電話機について、そのカールコードレス電話機で提供される機能を正確に判断できる。
したがって、カールコードレス電話機として、仕様の異なる親機と子機が任意に組み合わされる場合でも、制御装置においてカールコードレス電話機の機能を適切に管理できる。
【発明を実施するための最良の形態】
【００１３】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システム１０は、複数のカールコードレス電話機３と、これらカールコードレス電話機３を内線伝送路６を介して接続するとともにアナログ電話回線やＩＰ電話回線などからなる１つ以上の通話回線７を収容する制御装置４とから構成されている。
【００１４】
カールコードレス電話機３は、呼制御機能を持つカールコードレス親機（以下、親機という）１と通話機能を持つカールコードレス子機（以下、子機という）２とが無線伝送路５を介して接続される電話機であり、親機１が内線伝送路６を介して制御装置４と接続されている。
【００１５】
本実施の形態では、カールコードレス電話機３の親機１において、子機２から通知された所定の機能に関する仕様を示す子機仕様情報と、これに対応する親機１の機能に関する親機仕様情報とからカールコードレス電話機３で提供される機能を示す電話機仕様情報を決定し、この電話機仕様情報を制御装置４へ通知するようにしたものである。
【００１６】
以下では、カールコードレス電話機３において、親機１と子機２とを結ぶ無線インターフェースとして、１対多接続が可能なBluetooth無線方式（非特許文献１など参照）を用いる場合を例として説明するが、無線インターフェースはBluetooth無線方式に限定されるものではなく、他の無線インターフェースを用いてもよい。
また、制御装置４では、カールコードレス電話機３で用いるＲＦモジュールの仕様を電話機仕様情報として管理する場合を例として説明するが、管理する機能の仕様はＲＦモジュールの仕様に限定されるものではなく、任意の機能に適用できる。
【００１７】
［カールコードレス電話機］
次に、図２および図３を参照して、本発明の第１の実施の形態にかかる電話システムで用いられるカールコードレス電話機の親機と子機の構成について詳細に説明する。図２は、本発明の第１の実施の形態にかかる電話システムで用いられるカールコードレス親機の構成を示すブロック図である。図３は、本発明の第１の実施の形態にかかる電話システムで用いられるカールコードレス子機の構成を示すブロック図である。
【００１８】
親機１は、図２に示すように、呼制御機能と無線通信機能とを有する電話機であり、伝送インターフェース部（以下、伝送Ｉ／Ｆ部という）１１、無線インターフェース部（以下、無線Ｉ／Ｆ部という）１２、親機記憶部１３、および親機制御部１４が設けられている。
【００１９】
伝送Ｉ／Ｆ部１１は、内線伝送路６を介して制御装置４とデータ伝送を行う回路部からなり、制御装置４との間で制御コマンドや音声データなどの各種データをやり取りする機能を有している。
無線Ｉ／Ｆ部１２は、無線伝送路５を介して子機２とデータ伝送を行う回路部（ＲＦモジュール）からなり、子機登録処理で登録された認証データに基づき認証が得られた子機２との間で制御コマンドや音声データなどの各種データをやり取りする機能を有している。
【００２０】
親機記憶部１３は、揮発性メモリや不揮発性メモリなどの記憶装置からなり、親機制御部１４での呼制御処理や子機登録処理に用いる各種処理情報やプログラム１３Ｐを記憶する機能を有している。
プログラム１３Ｐは、当該親機１の製造時に他の装置から親機記憶部１３へ書き込まれ、あるいは伝送Ｉ／Ｆ部１１など親機１に設けられた入出力インターフェースを介して外部装置や記録媒体から親機記憶部１３へ書き込まれる。
【００２１】
親機記憶部１３で記憶する主な処理情報としては、認証コード１３Ａ、親機仕様情報１３Ｂ、および電話機情報１３Ｃがある。
認証コード１３Ａは、親機１と子機２との間の子機登録処理およびその後の無線通信時の認証に用いられる識別情報（例えば、BluetoothのＰＩＮコード）からなり、製造・出荷時あるいは設置・保守時に外部装置から入力され、親機制御部１４を介して親機記憶部１３へ書き込まれる。
なお、認証コード１３Ａについては、専用の不揮発性メモリに別途設けて、子機２との子機登録処理の成功に応じて親機制御部１４により登録し、子機２との無線通信時に、必要に応じて無線Ｉ／Ｆ部１２から当該不揮発性メモリ内の認証コードを随時参照可能としてもよい。
【００２２】
親機仕様情報１３Ｂは、親機１が持つ所定の機能に関する仕様を識別するための情報、例えば無線Ｉ／Ｆ部１２を実現するＲＦモジュールの仕様に固有の情報であり、製造・出荷時や設置・保守時に外部装置から入力され、あるいは当該機能を構成するモジュールから取得され、親機制御部１４を介して親機記憶部１３へ書き込まれる。
電話機情報１３Ｃは、当該カールコードレス電話機３に関する各種設定情報であり、各種設定操作時に親機制御部１４を介して親機記憶部１３へ書き込まれ、後述する電話機登録処理などにおいて、親機１から制御装置４へ通知される。この電話機情報１３Ｃには、子機２から通知された子機仕様情報と親機仕様情報１３Ｂとから決定した電話機仕様情報が含まれている。
【００２３】
親機制御部１４は、ＣＰＵなどのマイクロプロセッサとその周辺回路を有し、親機記憶部１３のプログラム１３Ｐを読み込んで実行することにより、上記ハードウェアとプログラム１３Ｐとを協働させて各種機能手段を実現する機能部である。
親機制御部１４で実現される主な機能手段としては、呼制御手段１４Ａ、子機登録処理手段１４Ｂ、電話機登録手段１４Ｃ、および仕様管理手段１４Ｄがある。
【００２４】
呼制御手段１４Ａは、内線伝送路６および伝送Ｉ／Ｆ部１１を介して制御装置４から各種制御コマンドを受信する機能と、これら制御コマンドに基づき無線Ｉ／Ｆ部１２および無線伝送路５を介して子機２へ制御コマンドを送信することにより子機２の動作を制御する機能と、無線伝送路５および無線Ｉ／Ｆ部１２を介して子機２から操作情報を受信する機能と、その操作情報を伝送Ｉ／Ｆ部１１および内線伝送路６を介して制御装置４へ送信する機能とを有している。
【００２５】
子機登録処理手段１４Ｂは、無線Ｉ／Ｆ部１２を介して子機２から通知された認証コードと親機記憶部１３の認証コード１３Ａとを比較し、その一致不一致に応じて子機登録処理の成否を確認する機能と、子機登録処理の成否を子機２へ通知する機能と、子機登録成功に応じて当該認証コードを正当な認証コード１３Ａとして親機記憶部１３へ登録する機能とを有している。
【００２６】
電話機登録手段１４Ｃは、例えば親機１への給電開始や所定操作に応じて、親機記憶部１３の電話機情報１３Ｃを内線伝送路６を介して制御装置４へ通知することにより当該カールコードレス電話機３を制御装置４へ登録する機能を有している。
仕様決定手段１４Ｄは、子機２から通知された子機仕様情報と親機記憶部１３の親機仕様情報１３Ｂとから当該カールコードレス電話機３で実現される機能を示す電話機仕様情報を生成する機能を有している。
【００２７】
一方、子機２は、図３に示すように、通話機能と無線通信機能とを有する携帯可能な電話機であり、無線インターフェース部（以下、無線Ｉ／Ｆ部という）２１、音声処理部２２、表示部２３、操作入力部２４、子機記憶部２５、および子機制御部２６が設けられている。
【００２８】
無線Ｉ／Ｆ部２１は、無線伝送路５を介して親機１とデータ伝送を行う回路部（ＲＦモジュール）からなり、子機登録処理で登録された認証データに基づき認証が得られた親機１との間で制御コマンドや音声データなどの各種データをやり取りする機能を有している。
音声処理部２２は、無線Ｉ／Ｆ部２１で受信した音声データから生成した音声信号をスピーカ（図示せず）から出力する機能と、マイク（図示せず）から入力された音声信号を音声データに変換して無線Ｉ／Ｆ部２１から送信する機能と、呼出音、警報音、音声メッセージ、音楽などの各種音声信号をスピーカから出力する機能とを有している。
【００２９】
表示部２３は、ＬＥＤやＬＣＤなどの表示装置からなり、子機制御部２６からの指示に応じて、各種情報を可視表示する機能を有している。
操作入力部２４は、キー、ボタン、スイッチなどの操作検出素子からなり、検出した利用者の操作を子機制御部２６へ出力する機能を有している。
【００３０】
子機記憶部２５は、揮発性メモリや不揮発性メモリなどの記憶装置からなり、子機制御部２６での呼制御処理や子機登録処理に用いる各種処理情報やプログラム２５Ｐを記憶する機能を有している。
プログラム２５Ｐは、当該親機１の製造時に他の装置から子機記憶部２５へ書き込まれ、あるいは無線Ｉ／Ｆ部２１など子機２に設けられた入出力インターフェースを介して外部装置や記録媒体から子機記憶部２５へ書き込まれる。
【００３１】
子機記憶部２５で記憶する主な処理情報としては、認証コード２５Ａと子機仕様情報２５Ｂがある。
子機仕様情報２５Ｂは、子機２が持つ所定の機能に関する仕様を識別するための情報、例えば無線Ｉ／Ｆ部２１を実現するＲＦモジュールの仕様に固有の情報であり、製造・出荷時または設置・保守時に外部装置から入力され、あるいは当該機能を構成するモジュールから取得され、子機制御部２６を介して子機記憶部２５へ書き込まれる。
【００３２】
認証コード２５Ａは、親機１と子機２との間での子機登録処理およびその後の無線通信時の認証に用いられる識別情報（例えば、BluetoothのＰＩＮコード）からなり、製造・出荷時あるいは設置・保守時に子機記憶部２５へ書き込まれる。
なお、認証コード２５Ａについては、専用の不揮発性メモリに別途設けて、親機１との子機登録処理の成功に応じて子機制御部２６により登録し、親機１との無線通信時に、必要に応じて無線Ｉ／Ｆ部２１から当該不揮発性メモリ内の認証コードを随時参照可能としてもよい。
【００３３】
子機制御部２６は、ＣＰＵなどのマイクロプロセッサとその周辺回路を有し、子機記憶部２５のプログラム２５Ｐを読み込んで実行することにより、上記ハードウェアとプログラム２５Ｐとを協働させて各種機能手段を実現する機能部である。
子機制御部２６で実現される主な機能手段としては、呼制御手段２６Ａと子機登録手段２６Ｂとがある。
【００３４】
呼制御手段２６Ａは、無線伝送路５および無線Ｉ／Ｆ部２１を介して親機１から各種制御コマンドを受信する機能と、これら制御コマンドに基づき音声処理部２２や表示部２３を制御する機能と、操作入力部２４からの出力に応じた操作情報を無線Ｉ／Ｆ部２１および無線伝送路５を介して親機１へ送信する機能と有している。
【００３５】
子機登録手段２６Ｂは、子機記憶部２５の認証コード２５Ａを親機１へ通知することにより子機登録処理を行う機能と、この子機登録処理の成功に応じて当該認証コードを正当な認証コード２５Ａとして子機記憶部２５へ登録する機能とを有している。
【００３６】
［制御装置］
次に、図４を参照して、本発明の第１の実施の形態にかかる電話システムで用いられる制御装置の構成について詳細に説明する。図４は、本発明の第１の実施の形態にかかる電話システムで用いられる制御装置の構成を示すブロック図である。
【００３７】
制御装置４は、図４に示すように、通信機能を有するコンピュータなどの情報処理装置であり、回線インターフェース部（以下、回線Ｉ／Ｆ部という）４１、伝送インターフェース部（以下、伝送Ｉ／Ｆ部という）４２、スイッチ部４３、記憶部４４、および制御部４５が設けられている。
【００３８】
回線Ｉ／Ｆ部４１は、電話網８の通話回線７を接続する回路部からなり、所定のプロトコルに基づき通話回線７を終端制御することにより、着信検出、発信、通話などの回線制御を行う機能を有している。
伝送Ｉ／Ｆ部４２は、内線伝送路６を介してカールコードレス電話機３の親機１とデータ伝送を行う回路部からなり、親機１との間で制御コマンドや音声データなどの各種データをやり取りする機能を有している。
スイッチ部４３は、回線Ｉ／Ｆ部４１と伝送Ｉ／Ｆ部４２との間の通話パスを切り替える回路部からなり、制御部４５からの指示に基づき通話パスの切替を行うことにより、カールコードレス電話機３と通話回線７とを任意に交換接続する機能を有している。
【００３９】
記憶部４４は、メモリやハードディスクなどの記憶装置からなり、制御部４５での呼制御処理や子機登録処理に用いる各種処理情報やプログラム４４Ｐを記憶する機能を有している。
プログラム４４Ｐは、当該制御装置４の製造時に他の装置から記憶部４４へ書き込まれ、あるいは回線Ｉ／Ｆ部４１など制御装置４に設けられた入出力インターフェースを介して外部装置や記録媒体から記憶部４４へ書き込まれる。
【００４０】
記憶部４４で記憶する主な処理情報としては、呼制御情報４４Ａがある。この呼制御情報４４Ａは、通話回線７やカールコードレス電話機３の状態を示す状態情報や、各種設定内容を示す設定情報、さらにはカールコードレス電話機３で提供される所定の機能に関する仕様を示す電話機仕様情報から構成されており、制御部４５により参照され必要に応じて更新される。
【００４１】
制御部４５は、ＣＰＵなどのマイクロプロセッサとその周辺回路を有し、記憶部４４のプログラム４４Ｐを読み込んで実行することにより、上記ハードウェアとプログラム４４Ｐとを協働させて各種機能手段を実現する機能部である。
制御部４５で実現される主な機能手段としては、呼制御手段４５Ａおよび電話機登録処理手段４５Ｂがある。
【００４２】
呼制御手段４５Ａは、回線Ｉ／Ｆ部４１および通話回線７を介して電話網８さらには相手電話機（図示せず）と各種データをやり取りすることにより通話回線７を用いた通話路の接続や切断を行う機能と、伝送Ｉ／Ｆ部４２および内線伝送路６を介してカールコードレス電話機３と各種制御コマンドや操作情報をやり取りすることによりカールコードレス電話機３の制御を行う機能と、スイッチ部４３を制御して回線Ｉ／Ｆ部４１と伝送Ｉ／Ｆ部４２との間の通話パスを切り替えることにより、カールコードレス電話機３と通話回線７とを任意に交換接続する機能を有している。
【００４３】
電話機登録処理手段４５Ｂは、伝送Ｉ／Ｆ部４２を介して受信したカールコードレス電話機３からの電話機登録要求に応じて、当該カールコードレス電話機３の電話機情報１３Ｃを要求する機能と、これに応じてカールコードレス電話機３から取得した、電話機仕様情報を含む電話機情報１３Ｃを記憶部４４の呼制御情報４４Ａに登録する機能とを有している。
【００４４】
［第１の実施の形態の動作］
次に、図５を参照して、本発明の第１の実施の形態にかかる電話システムの子機登録動作について詳細に説明する。図５は、本発明の第１の実施の形態にかかる電話システムの子機登録動作および電話機登録動作を示すシーケンス図である。
【００４５】
以下では、子機２を親機１へ子機登録する際に、子機２から親機１へ子機仕様情報２５Ｂを通知して親機１の親機仕様情報１３Ｂと比較することにより電話機仕様情報を決定し、カールコードレス電話機３を制御装置４へ登録する際、この電話機仕様情報を含む電話機情報１３Ｃを親機１から制御装置４へ通知する場合を例として説明する。
【００４６】
子機２で作業者により所定の子機登録開始操作が行われた場合（ステップ１００）、子機制御部２６は、操作入力部２４から子機登録開始操作を検出し、子機記憶部２５の認証コード２５Ａを読み出して無線Ｉ／Ｆ部２１から無線伝送路５を介して親機１へ通知することにより、親機１との間で子機登録処理を行う（ステップ１０１）。
この子機登録処理において、子機登録手段２６Ｂは、子機記憶部２５の子機仕様情報２５Ｂを親機１へ通知する（ステップ１０２）。
【００４７】
親機１の親機制御部１４は、子機登録処理手段１４Ｂにより、子機２から受け取った認証コード２５Ａと親機記憶部１３の認証コード１３Ａとを比較しその一致を検査する。
この際、子機登録処理手段１４Ｂは、上記認証コードが一致した場合、正規の子機２からの子機登録処理であると判断し、子機登録が成功した旨を子機２へ通知する。
【００４８】
これにより、子機２の子機登録手段２６Ｂで、当該認証コードを正当な認証コード２５Ａとして子機記憶部２５へ登録するとともに（ステップ１０３）、親機１の子機登録処理手段１４Ｂで、当該認証コードを正当な認証コード１３Ａとして親機記憶部１３へ登録する（ステップ１０４）。
なお、認証コードが一致しなかった場合、両者の登録コードが一致せず所望の子機２との子機登録処理に失敗したと判断し、親機１および子機２での認証コードの登録は行われない。
【００４９】
その後、親機１の親機制御部１４は、仕様決定手段１４Ｄにより、子機２から通知された子機仕様情報２５Ｂと親機記憶部１３の親機仕様情報１３Ｂとを比較して、カールコードレス電話機３で提供される機能の仕様を示す電話機仕様情報を決定し（ステップ１０５）、得られた電話機仕様情報を親機記憶部１３の電話機情報１３Ｃの一部として登録しておく。
【００５０】
この際、仕様決定手段１４Ｄは、図６に示す判定ルールに基づき、子機仕様情報２５Ｂと親機仕様情報１３Ｂとから電話機仕様情報を決定する。図６は、電話機仕様情報の決定に用いる判定ルール例である。
例えば、親機１の無線Ｉ／Ｆ部１２と子機２の無線Ｉ／Ｆ部２１で用いるＲＦモジュールの仕様について、旧仕様と新仕様があり、新仕様が旧仕様との互換性を持つ場合、これら旧仕様と新仕様のＲＦモジュールを搭載した親機１と子機２が任意に組み合わされてカールコードレス電話機３が構成される場合がある。
【００５１】
ここで、両者のＲＦモジュールが同一仕様の場合、カールコードレス電話機３として当該仕様の機能を提供することになる。
一方、両者が異なる仕様のＲＦモジュールを搭載している場合、いずれか新仕様のＲＦモジュールがその互換性により旧仕様として動作するため、結果としてカールコードレス電話機３は旧仕様の機能を提供することになる。
【００５２】
図６の判定ルールでは、このような子機仕様情報および親機仕様情報と、その組合せにより提供される機能に応じた電話機情報とが対応づけられている。
なお、図６の判定ルールについては、仕様決定手段１４Ｄを実現するアルゴリズム（プログラム）で規定してもよく、この判定ルールをテーブルとして親機記憶部１３に登録しておき、仕様決定手段１４Ｄで参照するようにしてもよい。
【００５３】
その後、親機１で給電開始や所定の電話機登録開始操作が行われた場合、親機制御部１４は、電話機登録手段１４Ｃにより、制御装置４に対するカールコードレス電話機３の電話機登録処理を開始する。
【００５４】
まず、親機制御部１４は、伝送Ｉ／Ｆ部１１から内線伝送路６を介して制御装置４へ電話機登録要求を送信する（ステップ１１０）。
制御装置４の制御部４５は、伝送Ｉ／Ｆ部４２を介してカールコードレス電話機３からの電話機登録要求を受信し、電話機登録処理手段４５Ｂにより、伝送Ｉ／Ｆ部４２から内線伝送路６を介してカールコードレス電話機３へ電話機情報要求を送信する（ステップ１１１）。
【００５５】
これに応じて、親機１の電話機登録手段１４Ｃは、親機記憶部１３から電話機仕様情報を含む電話機情報１３Ｃを読み出し、伝送Ｉ／Ｆ部１１から内線伝送路６を介して制御装置４へ電話機情報１３Ｃを送信する（ステップ１１２）。
制御装置４の電話機登録処理手段４５Ｂは、伝送Ｉ／Ｆ部４２を介してカールコードレス電話機３からの電話機情報１３Ｃを受信し、記憶部４４の呼制御情報４４Ａの一部として登録する（ステップ１１３）。これにより、親機仕様情報１３Ｂと子機仕様情報２５Ｂとから決定されたカールコードレス電話機３の電話機仕様情報が、制御装置４で管理されることになる。
【００５６】
このように、本実施の形態では、親機１の仕様決定手段１４Ｄにより、子機２から通知された子機仕様情報２５Ｂと親機記憶部１３の親機仕様情報１３Ｂとから、カールコードレス電話機３で提供される機能を示す電話機仕様情報を生成するようにしたので、任意の機能について仕様が異なる親機１と子機２とで構成されるカールコードレス電話機３について、そのカールコードレス電話機３で提供される機能を正確に判断できる。
したがって、カールコードレス電話機として、仕様の異なる親機と子機が任意に組み合わされる場合でも、制御装置においてカールコードレス電話機の構成や機能を適切に管理できる。
【００５７】
これにより、例えば、親機１および子機２で無線インターフェースとしてBluetoothを用い、これら親機１および子機２でBluetoothバージョン1.1およびBluetoothバージョン1.2が混在して使用される際、親機１および子機２の両方が同一のBluetoothバージョンであればカールコードレス電話機３の仕様は当該Bluetoothバージョンであると制御装置４へ通知される。一方、両者のBluetoothバージョンが異なる場合、カールコードレス電話機３の仕様はBluetoothバージョン1.1であると制御装置４へ通知される。
【００５８】
したがって、親機１および子機２の両方が同一のBluetoothバージョン1.2の場合にのみ、制御装置４は、親機に対する子機接続台数の制限緩和や音声データのビットレートを64Kbpsから100Kbpsに引き上げた音質向上などの新たな機能をカールコードレス電話機３で提供できることを把握できる。
【００５９】
また、子機登録処理時に、子機２から親機１へ子機仕様情報２５Ｂを通知するようにしたので、電話機情報を制御装置４へ通知する前に、改めて親機１と子機２との間で無線伝送路５を介してリンク接続して子機仕様情報２５Ｂを取得する必要がなくなる。これにより、子機登録処理から電話機登録処理までに要する処理負担を軽減でき、より短時間でカールコードレス電話機３を運用可能とすることができる。
【００６０】
［第２の実施の形態］
次に、本発明の第２の実施の形態にかかる電話システムについて説明する。
前述した第１の実施の形態では、子機登録処理において、子機２から親機１に対して子機仕様情報２５Ｂを通知する場合を例として説明した。本実施の形態では、子機仕様情報２５Ｂの具体的な通知方法について説明する。
【００６１】
一般に、子機登録処理において、子機２の子機登録手段２６Ｂは、自己の属性を示す属性情報を無線Ｉ／Ｆ部２１から無線伝送路５を介して親機１へ通知する。属性情報は、子機２が親機１と通信可能な端末であることを親機１で確認するための情報である。
例えば、各種端末で汎用的に用いられるBluetoothでは、電話機だけでなく多くのデータ端末で利用されるため、相手端末と自端末とが通信可能な機能を有しているかどうかをチェックする必要がある。
【００６２】
この際、Bluetoothでは、自端末の種別を相手端末へ通知するため、属性情報として「Device Name」情報と呼ばれる端末識別情報を有している。例えば、カールコードレス電話機の子機を示す情報としては「Device Name=BT Cordless phone v100」と記述される。
本実施の形態では、属性情報の端末識別情報に、所定の構成の仕様を識別するための子機仕様情報を付加して記述する。上記Bluetoothの例では、「Device Name=BT Cordless phone v100」と記述する。
これにより、現行の子機登録処理を変更することなく、子機登録処理時に子機２から親機１へ子機仕様情報を通知できる。
【００６３】
なお、属性情報を送信する際に、子機登録手段２６Ｂにより、子機記憶部２５から読み取った子機仕様情報２５Ｂを、属性情報の端末識別情報に付加して送信してもよく、予め子機仕様情報２５Ｂが端末識別情報に付加されている属性情報を子機記憶部２５に登録しておいてもよい。
【００６４】
このように、本実施の形態では、子機登録処理時に子機２から親機１へ通知される属性情報、さらにはその端末識別情報として、子機仕様情報が付加されたものを用いるようにしたので、現行の子機登録処理を変更することなく、子機登録処理時に子機２から親機１へ子機仕様情報を容易に通知できる。
特に、Bluetoothでは、端末登録処理（ペアリング処理）のプロトコルが厳密に規定されているため、プロトコルの変更は難しい。本実施の形態によれば、このようなプロトコル変更が不可能な場合でも、子機登録処理際に、子機２から親機１へ子機仕様情報２５Ｂを容易に通知できる。
【００６５】
［実施の形態の拡張］
以上の各実施の形態では、前述した図１の電話システムの構成を例として説明したが、制御装置４に接続される電話機についてはカールコードレス電話機３に限定されるものではなく、他の電話機３が接続されている電話システムであっても、前述と同様に各実施の形態を適用でき、前述と同様の作用効果が得られる。
【００６６】
また、各実施の形態では、子機登録処理の際、子機２から親機１に対して子機仕様情報を通知し、電話機登録処理の際、親機１から制御装置４に対して電話機仕様情報を通知する場合を例として説明したが、子機仕様情報や電話機仕様情報を通知するタイミングについては、子機登録処理や電話機登録処理に限定されるものではない。
例えば、親機１から制御装置４に対して電話機登録処理が終了した後、子機２から親機１へ子機仕様情報２５Ｂを通知し、これに応じて親機１で電話機仕様情報を決定して制御装置４へ通知するようにしてもよい。また、子機登録処理と電話機登録処理の処理タイミングについてはほぼ同じでもよい。
【図面の簡単な説明】
【００６７】
【図１】本発明の第１の実施の形態にかかる電話システムの構成を示すブロック図である。
【図２】本発明の第１の実施の形態にかかる電話システムで用いられるカールコードレス親機の構成を示すブロック図である。
【図３】本発明の第１の実施の形態にかかる電話システムで用いられるカールコードレス子機の構成を示すブロック図である。
【図４】本発明の第１の実施の形態にかかる電話システムで用いられる制御装置の構成を示すブロック図である。
【図５】本発明の第１の実施の形態にかかる電話システムの子機登録動作および電話機登録動作を示すシーケンス図である。
【図６】電話機仕様情報の決定に用いる判定ルール例である。
【符号の説明】
【００６８】
１０…電話システム、１…親機、１１…伝送Ｉ／Ｆ部、１２…無線Ｉ／Ｆ部、１３…親機記憶部、１３Ａ…認証コード、１３Ｂ…親機仕様情報、１３Ｃ…電話機情報、１３Ｐ…プログラム、１４…親機制御部、１４Ａ…呼制御手段、１４Ｂ…子機登録処理手段、１４Ｃ…電話機登録手段、１４Ｄ…仕様決定手段、２…子機、２１…無線Ｉ／Ｆ部、２２…音声処理部、２３…表示部、２４…操作入力部、２５…子機記憶部、２５Ａ…認証コード、２５Ｂ…親機仕様情報、２５Ｐ…プログラム、２６…子機制御部、２６Ａ…呼制御手段、２６Ｂ…子機登録手段、３…カールコードレス電話機、４…制御装置、４１…回線Ｉ／Ｆ部、４２…伝送Ｉ／Ｆ部、４３…スイッチ部、４４…記憶部、４４Ａ…呼制御情報、４４Ｐ…プログラム、４５…制御部、４５Ａ…呼制御手段、４５Ｂ…電話機登録処理手段、５…無線伝送路、６…内線伝送路、７…通話回線、８…電話網。
【図１】
2006238342.tif 000003
【図２】
2006238342.tif 000004
【図３】
2006238342.tif 000005
【図４】
2006238342.tif 000006
【図５】
2006238342.tif 000007
【図６】
2006238342.tif 000008